(57)【要約】【課題】液量不足を検出して加湿部を停止させたときに、液量不足のまま加湿部の動作を再開させないように加湿部の動作を制御する加湿装置を提供する。【解決手段】  貯水槽４２に供給するための水は、給水タンク３から貯水槽４２および連通路４１Ｄを介して貯水槽４２に流れ込む。タンク挿入部４１には、水面高さを検出するためのフロートスイッチ１４が配置される。フロートスイッチ１４は、第１の基準位置Ｈ１および、これより上に配置される第２の基準位置Ｈ２を基準に水面の高さを検出する。水面の高さが第１の基準位置Ｈ１より低くなるとファン２０が停止されるが、その後、水面の高さが第２の基準位置Ｈ２より高くならないとファン２０を動作させない。【選択図】  図９
2006071145.tif 000002
【特許請求の範囲】
【請求項１】
液体を収容する液体収容部と、
前記液体収容部に収容される液体を気化する加湿部と、
前記液体収容部における液量不足の判断基準となる液面高さである第１の基準位置、および予め設定された液面高さの上限位置と第１の基準位置との間に配置される第２の基準位置を基準に前記液体収容部内の液体の液面高さを検出する液面検出手段と、
前記液面検出手段によって液面が前記第１の基準位置より低くなったことが検出されると前記加湿部の動作を停止させ、その後、前記液面検出手段によって前記液面が前記第２の基準位置より高くなったことが検出されたときに前記加湿部の動作を再開させる制御手段と、
を備えたことを特徴とする加湿装置。
【請求項２】
前記第２の基準位置は、最大負荷で動作中の前記加湿部を停止させた際に生じる液面高さの変化量と少なくとも等しい量だけ前記第１の基準位置より高い位置に配置されることを特徴とする請求項１に記載の加湿装置。
【請求項３】
前記液体収容部は、内部に加湿フィルタが配置される貯水槽、および前記貯水槽に連通されるとともに前記貯水槽に補給すべき液体が供給されるタンク挿入部に分割されており、
前記加湿部は、外部の空気を前記加湿フィルタを介して吸い込むとともに、吸い込んだ空気を本加湿装置の外部に排出するファンを備え、
前記液面検出手段は、前記タンク挿入部の内部に配置されることを特徴とする請求項２に記載の加湿装置。
【発明の詳細な説明】
【技術分野】
【０００１】
この発明は、加湿空気を生成する加湿装置に関し、特に、液体収容部に収容される液体の量の減少に応じて自動的に運転が停止する加湿装置に関する。
【背景技術】
【０００２】
加湿装置は、加湿用の液体を蓄える液体収容槽と、液体収容槽に蓄えられた液体を気化させて加湿空気を生成する加湿部を備える。加湿装置は、液体収容槽の液体を気化させて居住空間中に加湿空気を供給し、居住空間の空気に潤いを与える。
【０００３】
ところが、液体収容槽内の液体の量は、加湿空気の供給に伴って減少する。液体収容槽内の液体の量が所定量以下になると加湿部において適正に加湿空気を生成できなくなる。
【０００４】
そこで、従来の加湿装置の中には、液体収容槽に収容される液体の残量が少なくなると加湿部の動作を自動的に停止させるものがある。例えば、本出願人が既に実用化した加湿装置の中には、図１（Ａ）に示すように、連通路１０３を介して液体収容槽１０１に連通するタンク挿入部１０２の液面高さが基準位置Ｈ０より低くなると加湿部の動作を自動的に停止し、液面高さが再度基準位置Ｈ０より高くなった後に加湿部の動作を再開させる加湿装置がある（例えば、非特許文献１参照）。この加湿装置１００の構成によれば、液体収容槽１０１の液体の残量がないときにファン１０４を無駄に動作させることを防止できた。また、液体タンク１０６を介してユーザが液体の補給をすると自動的に加湿部が動作するため、液体補給の際の操作が楽であった。
【非特許文献１】シャープ株式会社ウェブサイト、“製品情報、加湿機”、［online］、  ［平成１６年８月２日検索］、インターネット、＜URL:http://www.sharp.co.jp/products/menu/plasma/humidifier/index.html＞
【発明の開示】
【発明が解決しようとする課題】
【０００５】
しかしながら、上述の非特許文献１に用いられている加湿部の制御手法では、液面検出手段の配置位置によっては、液量不足を検出して加湿部を停止させたときに、液量不足のまま加湿部の動作を再開させてしまう虞があった。具体的に説明すると、図１（Ａ）の構成では、加湿部を構成するファン１０４の動作中に、ファン１０４による押し込み作用のため液体収容槽１０１における液面高さが下降している。このため、ファン１０４を停止したときには、ファン１０４による押し込み作用がなくなり、液体収容槽１０１における液面高さが上昇する。また、図１（Ｂ）の構成では、ファン１０４の動作中に、ファン１０４による吸い込み作用のため液体収容槽１０１における液面高さが上昇している。このため、ファン１０４を停止したときには、ファン１０４による吸い込み作用がなくなり、液体収容槽１０１における液面高さが下降する。液体収容槽１０１における液面高さが下降する際に、連通路１０３を通って液体がタンク挿入部１０２に流れ込み、タンク挿入部１０２の液面高さが上昇する。
【０００６】
加湿部の動作が停止した際に液面高さが上昇する槽に液面高さ検出手段を配置すると、液量不足により自動的に加湿部の動作が停止すると液面高さが上昇し、液体を補充していないにもかかわらず液面高さが基準位置Ｈ０を超えることがある。この場合、加湿部が動作することにより、液面高さが再び基準位置Ｈ０より低くなり加湿部を停止させることとなる。こうして、場合によっては、液面高さが基準位置Ｈ０の付近で上昇または下降を繰り返し、そのたびに加湿部がオンまたはオフを繰り返すという不具合が発生することがあった。
【０００７】
この発明の目的は、液量不足を検出して加湿部を停止させたときに、液量不足のまま加湿部の動作を再開させないように加湿部の動作を制御する加湿装置を提供することである。
【課題を解決するための手段】
【０００８】
（１）本発明に係る加湿装置は、
液体を収容する液体収容部と、
前記液体収容部に収容される液体を気化する加湿部と、
前記液体収容部における液量不足の判断基準となる液面高さである第１の基準位置、および予め設定された液面高さの上限位置と第１の基準位置との間に配置される第２の基準位置を基準に前記液体収容部内の液体の液面高さを検出する液面検出手段と、
前記液面検出手段によって液面が前記第１の基準位置より低くなったことが検出されると前記加湿部の動作を停止させ、その後、前記液面検出手段によって前記液面が前記第２の基準位置より高くなったことが検出されたときに前記加湿部の動作を再開させる制御手段と、
を備えたことを特徴とする。
【０００９】
本発明に係る加湿装置は、液体収容部、加湿部、液面検出手段、および制御手段を備える。液体収容部に収容される液体が加湿部によって気化されると、液体収容部における液体の量が減少し、液面高さが下降する。液面検出手段は、第１の基準位置および第２の基準位置を基準にして液面高さを検出する。液体収容部における液面が第１の基準位置よりも低くなったことを液面検出手段が検出すると、制御手段は加湿部の動作を停止させる。第１の基準位置は、加湿部が適正に加湿空気を生成するために必要な液面高さの下限位置である。制御手段は、加湿部を停止させた後に、たとえ液面高さが上昇して第１の基準位置を超えても、ただちには加湿部の動作を再開しない。制御手段は、液面高さが上昇し、第１の基準位置の上方に位置する第２の基準位置を超えたときに、加湿部の動作を再開する。この制御手法を採るのは、液面高さが第１の基準位置を超えた段階では、液面高さの上昇が加湿部を停止させたことによるものか、または使用者が液体を補給したことによるものかが不明であるからである。第２の基準位置を超えたときに加湿部の動作を再開するという制御を用いることにより、液体が補給されていないにもかかわらず加湿部の動作を再開し、再度、液体不足を検出して加湿部の動作を停止させるといった処理の無駄が省かれる。一方で、第の基準位置は予め設定された液面高さの上限位置より下方に位置するため、使用者が適正に液体の補充をした場合には、液面高さは必ず第２の基準位置より高くなる。ここで、液面高さの上限位置とは、液体収容部に対し液体の補給が適正にされている際に到達するように設計された液面高さである。
【００１０】
なお、加湿部の停止によって液面高さが上昇するケースとして、動作中の加湿部が液面を押し下げる力を液体に作用させている場合が挙げられる。この場合、加湿部の負荷を低下させたり、加湿部を停止する際に液面高さの上昇が生じ易い。
【００１１】
（２）  （１）に記載の加湿装置であって、
前記第２の基準位置は、最大負荷で動作中の前記加湿部を停止させた際に生じる液面高さの変化量と少なくとも等しい量だけ前記第１の基準位置より高い位置に配置されることを特徴とする。
【００１２】
この構成においては、加湿部の停止により生じ得る液面高さの最大変化量に相当する距離だけ第１の基準位置より高い位置に第２の基準位置が設定される。加湿部を停止させた後に、この第２の基準位置より液面が高くなったときに加湿部の動作を再開させるようにすれば、加湿部の停止に起因する液面高さの上昇によって液体の補給をしていないにもかかわらず加湿部の動作を再開させることがなくなる。
【００１３】
（３）  （２）に記載の加湿装置であって、
前記液体収容部は、内部に加湿フィルタが配置される貯水槽、および前記貯水槽に連通されるとともに前記貯水槽に補給すべき液体が供給されるタンク挿入部に分割されており、
前記加湿部は、外部の空気を前記加湿フィルタを介して吸い込むとともに、吸い込んだ空気を本加湿装置の外部に排出するファンを備え、
前記液面検出手段は、前記タンク挿入部の内部に配置されることを特徴とする。
【００１４】
この構成においては、液体収容部は、連通路によって接続された貯水槽およびタンク挿入部を備える。貯水槽内の液体に加湿フィルタが浸される。加湿フィルタを介して貯水槽内の液体が気化されて貯水槽内の液量が減少すると、連通路を介してタンク挿入部から貯水槽に液体の供給がされる。液面検出手段は、加湿部の停止により液面高さが上昇するタンク挿入部に配置される。加湿部の停止により液面高さが上昇するのは、ファンによる吸い込み作用によって上昇していた貯水槽の液面がファンの停止に伴って下降し、貯水槽の液面高さが下がった分だけタンク挿入部側に液体が流れ込むからである。
【発明の効果】
【００１５】
（１）請求項１に係る発明によれば、液体が補給されていないにもかかわらず、停止中の加湿部の動作を再開させるという不具合を生じにくくできる。
【００１６】
（２）請求項２に係る発明によれば、液体が補給されていないにもかかわらず、停止中の加湿部の動作を再開させることを確実に防止できる。
【００１７】
（３）請求項３に係る発明によれば、タンク挿入部内に液面検出手段を配置し、かつ、加湿部を吸い込み型の構成にすることができ、加湿装置のコンパクト化が図り易くなる。
【発明を実施するための最良の形態】
【００１８】
以下、図を用いて本発明の加湿装置の第１の実施形態を説明する。図２に示すように、加湿装置１は、本体２、トレイ４、給水タンク３を備える。本体２の上面には、加湿空気が吹き出る吹出口９、後述の操作スイッチ１５および表示器２２を有する操作部８が設けられる。本体２の左側面には、給水タンク３を本体２に装着し易くするために平面視円弧状を呈するタンク装着壁２Ａが形成される。給水タンク３は、開口端側の端部にキャップを備え、閉塞端側の端部に取っ手部材３０を備えた有底円筒形状の透明容器で構成される。
【００１９】
図３に示すように、トレイ４は、本体２のトレイ装着部２Ｃに対して着脱自在にされる。トレイ４は、タンク挿入部４１および貯水槽４２を備える。タンク挿入部４１は、図４に示すように、上方に開放した有底円筒状を呈し、給水タンク３が着脱自在に装着される。タンク挿入部４１の底部には水路４１Ｃが形成されており、この水路４１Ｃより盛り上がるように円台４１Ｅが形成される。円台４１Ｅからさらに突出するように円柱４３が形成される。円柱４３は、給水タンク３の装着時に、給水タンク３のキャップに形成された開閉弁に力を加え、開閉弁を開放する。
【００２０】
タンク挿入部４１の側壁の一部は、給水タンク３の装着時に給水タンク３を支持する円弧壁４１Ｂを構成する。給水タンク３がタンク挿入部４１に挿入されたときには、給水タンク３の下側が円弧壁４１Ｂによって支えられる。なお、給水タンク３の上側は、タンク装着壁２Ａおよびタンク装着壁２Ａの所定位置に形成された転倒防止フックに支持される。タンク挿入部４１の底部と貯水槽４２とは、水路４１Ｃに接続される連通路４１Ｄを介して連通しており、給水タンク３からタンク挿入部４１に供給された水は、水路４１Ｃおよび連通路４１Ｄを介して貯水槽４２に導かれる。
【００２１】
貯水槽４２の底面にはゼオライトシートを収容するシート収容部４２Ｂが形成される。シート収容部４２Ｂは、底面４２Ａに凹状に形成される。シート収容部４２Ｂは、略直方体状に凹んでおり上方に開放している。使用時には、シート収容部４２Ｂの上部が図示しない蓋体によって閉じられる。さらに、その蓋体の上には気化されるべき水を吸水する加湿フィルタ５が配置される。加湿フィルタ５は、貯水槽４２の水に浸されるように、少なくとも一部が適正時の水面高さ（喫水面）より下側に配置される。なお、図３では加湿フィルタ５を貯水槽４２から取り出した状態を示している。加湿フィルタ５は、フィルタ本体５２と、フィルタ本体５２を保持するフィルタホルダ５１を備える。本体２の左側側面には、加湿装置１の周囲の空気を吸い込む吸込口７が設けられる。
【００２２】
図５に示すように、タンク挿入部４１の内部にはフロートスイッチ１４が設けられる。フロートスイッチ１４は、水面高さの上昇および下降を検出してスイッチ作動を行い、本発明の液面検出手段を構成する。本実施形態では、フロートスイッチ１４は、タンク挿入部４１の底部に軸支されたポリスチレン製のフロート本体、フロート本体の自由端側に設けられたマグネット、マグネットの磁力によってオン／オフされる接点を有する。この構成により、水面高さの上昇または下降によりフロート本体も上昇または下降し、自由端に配設されたマグネットが第１の基準位置Ｈ１および第２の基準位置Ｈ２において接点をオン／オフする。本実施形態のフロートスイッチ１４は、水面高さが第１の基準位置Ｈ１より低くなると第１の基準位置における接点がオフになり、水面高さが第２の基準位置Ｈ２より低くなると第２の基準位置における接点がオフになるように設計されている。
【００２３】
図６に示すように、加湿装置１は、ＣＰＵ１０、温度センサ１１、湿度センサ１２、加湿温度演算部１３、フロートスイッチ１４、操作スイッチ１５、スイッチ判定部１６、水蒸気発生量演算部１７、水蒸気発生回路１８、ファン２０、表示制御部２１、表示器２２、およびクラスターイオン発生素子２３を備えている。温度センサ１１は、加湿装置１が配置された室内の温度を検出する。湿度センサ１２は、同じ室内の湿度を検出する。加湿温度演算部１３は、設定した湿度を考慮して室温に適した相対湿度を算出する。フロートスイッチ１４は、タンク挿入部４１に配置されており、タンク挿入部４１内の水面高さを検出する。操作スイッチ１５は、電源スイッチ、運転切換スイッチ、自動運転停止タイマ設定スイッチを有しており、使用者による設定操作を受け付ける。スイッチ判定部１６は、操作スイッチ１５に対するキー操作を検出する。水蒸気発生量演算部１７は、蒸発させるべき水分量を算出する。水蒸気発生回路１８は、水蒸気発生量演算部１７における算出結果に基づいてファン２０の動作を制御する。ファン２０は、吸込口７から加湿フィルタ５を介して空気を吸い込み、吸い込んだ空気を吹出口９を介して排出する。表示制御部２１は、ＣＰＵ１０からの信号に基づいて表示器２２の動作を制御する。表示器２２は、複数の発光ダイオードを用いて設定湿度、動作状態など加湿装置１の動作情報を表示する。クラスターイオン発生素子２３は、吹出口９の付近に配置され、室内に浮遊しているカビ菌を取り囲み不活化する除菌イオンを発生する。ＣＰＵ１０は、加湿装置１の各部の動作を統括的に制御する。
【００２４】
図７は、加湿装置１の内部の概略構成を示している。図７（Ａ）はファン２０が停止している状態を示しており、図７（Ｂ）はファン２０の動作中の状態を示している。加湿装置１の内部には、ファン２０、クラスターイオン発生素子２３、加湿フィルタ５が配置される。ファン２０は、加湿フィルタ５を介して吸込口７から外気を吸い込み、加湿フィルタ５にて発生した加湿空気を吹出口９を経由して外部に排出する。クラスターイオン発生素子２３は、生成した除菌イオンが加湿空気とともに吹出口９から外部に排出するように、吹出口９の真下に配置される。
図７（Ｂ）に示すように、ファン２０が動作中の場合には、ファン２０による吸い込み作用のため貯水槽４２内の水面高さが上昇する。貯水槽４２は連通路４１Ｄを介してタンク挿入部４１に連通するため、貯水槽４２内の水面高さの上昇の際にタンク挿入部４１側の水が貯水槽４２に流れ込み、タンク挿入部４１における水面高さが下降する。一方、貯水槽４２内の水面高さの下降の際にタンク挿入部４１側に貯水槽４２の水が流れ込み、タンク挿入部４１における水面高さが上昇する。
【００２５】
図８は、タンク挿入部４１および貯水槽４２における水面高さの変化を示している。図８（Ａ）は、給水タンク３に十分な水が入っており、タンク挿入部４１および貯水槽４２における水面高さが予め設定されている液面高さの上限位置に等しい状態を示している。この状態で、加湿装置１の運転を開始しファン２０を動作させると、ファン２０の吸い込み作用により、図８（Ｂ）に示すように、貯水槽４２の水面高さが上昇し、タンク挿入部４１における水面高さが下降する。その後も加湿装置１の運転を継続すると、加湿フィルタ５を介して貯水槽４２の水が気化し続け、やがて図９（Ａ）に示すようにタンク挿入部４１の水面高さが第１の基準位置Ｈ１より低くなる。
【００２６】
ＣＰＵ１０は、タンク挿入部４１の水面高さが第１の基準位置Ｈ１より下がると、水蒸気発生回路１８を介してファン２０を停止する。ファン２０が停止することにより、ファン２０による吸い込み作用がなくなり、上昇していた貯水槽４２の水面高さが元に戻る。貯水槽４２の水面高さが元に戻る際には、図９（Ｂ）に示すように、連通路４１Ｄを介して貯水槽４２の水がタンク挿入部４１に逆流する。この結果、タンク挿入部４１に水を補給していないにもかかわらず、タンク挿入部４１の水面高さが第１の基準位置Ｈ１より高くなる。
【００２７】
しかし、ＣＰＵ１０は、タンク挿入部４１の水面高さが第２の基準位置Ｈ２より高くならないとファン２０の動作を再開させない。このため、タンク挿入部４１に水が補給がされていないにもかかわらずファン２０の動作を再開してしまうという不都合が生じない。ここでは、第１の基準位置Ｈ１と第２の基準位置との間は、最大負荷で動作しているファン２０が停止した際のタンク挿入部４１の水面高さの上昇量に相当する距離だけ離間している。したがって、タンク挿入部４１に対して水の補給がされないかぎり、渇水状態のタンク挿入部４１の水面高さが第２の基準位置より高くなることがない。
【００２８】
図１０は、制御手段としてのＣＰＵ１０の動作手順を示すフローチャートである。ＣＰＵ１０は、運転時または運転停止時のいずれであるかを判断し（Ｓ１）、運転時の場合には、タンク挿入部４１の水面高さが第１の基準位置Ｈ１以上であるか否かを判断する（Ｓ２）。Ｓ２の判断ステップにて、タンク挿入部４１の水面高さが第１の基準位置Ｈ１以上の場合には、運転を継続する（Ｓ３）。これに対し、タンク挿入部４１の水面高さが第１の基準位置Ｈ１未満の場合には、給水すべき旨の警告表示を表示器２２にさせる（Ｓ４）。
【００２９】
一方、Ｓ１の判断ステップにおいて、運転が停止している場合には、ＣＰＵ１０は、タンク挿入部４１の水面高さが第２の基準位置Ｈ２以上であるか否かを判断する（Ｓ５）。Ｓ５の判断ステップにて、タンク挿入部４１の水面高さが第２の基準位置Ｈ２以上の場合には、給水すべき旨の警告表示を止めて、運転を再開する（Ｓ６）。これに対し、タンク挿入部４１の水面高さが第１の基準位置Ｈ２未満の場合には、給水すべき旨の警告表示したまま運転を停止させ続ける（Ｓ７）。
【００３０】
第１の実施形態によれば、吸い込み型の加湿部を採用し、かつ、タンク挿入部４１側にフロートスイッチ１４を配置する構成であっても、渇水状態時にファン２０をオンさせることがない。したがって、フロートスイッチ１４が貯水槽４２またはタンク挿入部４１のいずれに配置されていても加湿部の構成を吸い込み型にできるため、加湿装置のコンパクト化を図り易くなる。
【００３１】
図１１〜図１３を用いて、本発明の加湿装置の第２の実施形態を説明する。図１１に示すように、第２の実施形態では、水蒸気発生回路１８によってオン／オフが切り換えられるヒータ１９が、第１の実施形態の構成に追加されている。ヒータ１９は、図１２に示すように、吸込口７から吸い込まれた空気を加熱し、加湿空気の発生量を高める役割をする。
【００３２】
図１２に示すように、第２の実施形態では、ファン２０は、吸込口７を介して内部に吸い込んだ空気を、加湿フィルタ５および吹出口９を介して外部に排出する押し込み型の構成である。水に浸された加湿フィルタ５にファン２０が空気を送り込みことにより、加湿フィルタ５にて水が気化されて加湿空気が発生し、この加湿空気が吹出口９を介して室内に供給される。
【００３３】
このような押し込み型の構成では、ファン２０の動作中にはファン２０の押し込み作用によって貯水槽４２の水面高さが下降する。図１２の構成において、貯水槽４２側にフロートスイッチ１４を設ける場合には、水面高さの変化に応じたファン２０のオン／オフの制御が適正に行えないことがあった。
【００３４】
そこで、第２の実施形態では、図１３に示すように、第１の検出位置Ｈ１および第２の検出位置Ｈ２を基準に貯水槽４２側の水面高さを検出している。第１の実施形態と同様、ＣＰＵ１０は、貯水槽４２の水面高さが第１の検出位置Ｈ１より低くなるとファン２０を停止させ、その後、貯水槽４２の水面高さが第２の検出位置Ｈ２より高くなるとファン２０の動作を再開させるようにファン２０を制御する。
【００３５】
この結果、押し込み型の加湿部で、かつ、貯水槽４２側の水面高さを検出する場合であっても、第１の実施形態と同様に、渇水状態時にファン２０をオンにするような誤動作が起こりにくくなる。
【００３６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３７】
【図１】従来の加湿装置の構成を示す図である。
【図２】本発明の加湿装置の前面側の外観を示す図である。
【図３】本発明の加湿装置の背面側の概略構成を示す図である。
【図４】加湿装置におけるトレイの概略構成を示す図である。
【図５】加湿装置におけるタンク挿入部の構成を示す図である。
【図６】第１の実施形態に係る加湿装置の概略構成を示すブロック図である。
【図７】第１の実施形態に係る加湿装置内部の概略構成を示す図である。
【図８】タンク挿入部および貯水槽における液面高さの変化状態を示す図である。
【図９】タンク挿入部および貯水槽における液面高さの変化状態を示す図である。
【図１０】ＣＰＵの動作手順を示すフローチャートである。
【図１１】第２の実施形態に係る加湿装置の概略構成を示すブロック図である。
【図１２】第２の実施形態に係る加湿装置内部の概略構成を示す図である。
【図１３】タンク挿入部および貯水槽における液面高さの変化状態を示す図である。
【符号の説明】
【００３８】
１−加湿装置
２−本体
３−給水タンク
４−トレイ
１４−フロートスイッチ
５−加湿フィルタ
２０−ファン
４２−貯水槽
【図１】
2006071145.tif 000003
【図２】
2006071145.tif 000004
【図３】
2006071145.tif 000005
【図４】
2006071145.tif 000006
【図５】
2006071145.tif 000007
【図６】
2006071145.tif 000008
【図７】
2006071145.tif 000009
【図８】
2006071145.tif 000010
【図９】
2006071145.tif 000011
【図１０】
2006071145.tif 000012
【図１１】
2006071145.tif 000013
【図１２】
2006071145.tif 000014
【図１３】
2006071145.tif 000015